(57)【要約】      （修正有）【課題】使用する支柱のサイズにフレキシブルに対応することができるプランターを提供する。【解決手段】プランター１は、底部２ａと底部２ａから立設される壁部２ｂを有する容器２と、容器２に対して支柱５を位置合わせする位置合わせ手段と、を備え、位置合わせ手段は、壁部２ｂの内周面及び又は外周面に対して、着脱自在な第１の規制部材（第１のプレート３）および第２の規制部材（第２のプレート４）と、第１の規制部材および第２の規制部材に着脱自在な第３の規制部材（紐状部材６）と、を含む。【選択図】図１
0003229025.tif 000002
【実用新案登録請求の範囲】
【請求項１】
底部と前記底部から立設される壁部を有する容器と、
前記容器に対して支柱を位置合わせする位置合わせ手段と、を備え、
前記位置合わせ手段は、
前記壁部の内周面及び又は外周面に対して、少なくとも何れかひとつが着脱自在な第１の規制部材および第２の規制部材と、
前記第１の規制部材および前記第２の規制部材に着脱自在な第３の規制部材と、を含むプランター。
【請求項２】
前記第３の規制部材は紐状部材であり、
前記第１の規制部材と前記第２の規制部材の夫々に形成された第１の孔部、第２の孔部に前記紐状部材が挿入される、請求項１に記載のプランター。
【考案の詳細な説明】
【技術分野】
【０００１】
本考案は、草花や野菜をはじめとする植物の栽培に使用されるプランターに関する。
【背景技術】
【０００２】
庭やベランダ等で草花等の植物を栽培する家庭菜園においては、上方が開口した箱型状の容器を主体とするプランターが広く一般に用いられている。プランターには栽培する植物の種類に応じて、植物の誘引（蔓植物にあっては生育の助長）等を目的として、プランターに収容された土（培養土）に支柱が立設される。そこで従来、箱に複数のパイプを所定の規則で設け、パイプに支柱を挿入することができるプランターが提案されている（例えば特許文献１を参照）。
【先行技術文献】
【特許文献】
【０００３】
【特許文献１】特開２０１６−１０６６１１号公報
【考案の概要】
【考案が解決しようとする課題】
【０００４】
しかしながら、特許文献１に示される従来技術では、パイプの径を変更することができないため、パイプの径よりも小さい径の支柱しか挿入することができず、使用することができる支柱のサイズに制約があった。
【０００５】
そこで本考案は、使用する支柱のサイズにフレキシブルに対応することができるプランターを提供することを目的とする。
【課題を解決するための手段】
【０００６】
本考案のプランターは、底部と前記底部から立設される壁部を有する容器と、前記容器に対して支柱を位置合わせする位置合わせ手段と、を備え、前記位置合わせ手段は、前記壁部の内周面及び又は外周面に対して、少なくとも何れかひとつが着脱自在な第１の規制部材および第２の規制部材と、前記第１の規制部材および前記第２の規制部材に着脱自在な第３の規制部材と、を含む。
【考案の効果】
【０００７】
本考案によれば、使用する支柱のサイズにフレキシブルに対応することができる。
【図面の簡単な説明】
【０００８】
【図１】本考案の実施の形態におけるプランターの全体斜視図
【図２】本考案の実施の形態におけるプランターの変形例を示す全体斜視図
【図３】本考案の実施の形態におけるプランターの変形例を示す全体斜視図
【考案を実施するための形態】
【０００９】
図１を参照して、本考案の実施の形態について説明する。プランター１は、草花や野菜をはじめとする植物の栽培に用いられ、プラスチック樹脂製のものの他、セラミックから成る植木鉢等を含む概念である。
【００１０】
プランター１は、図示しない土（培養土）を収容する容器２を主体としている。容器２は底部２ａと、底部２ａの縁部から上方に向けた起立した壁部２ｂを含んで構成される。容器２は上方が開口しており、底部２ａと壁部２ｂによって仕切られた空間に土が収容される。
【００１１】
壁部２ｂの内周面２ｂ１（内壁）には、長尺状の第１のプレート３および第２のプレート４が長手方向を底部２ａに向けて固定されている。第１のプレート３と第２のプレート４は対をなしており、容器２に収容される植物の位置に応じて、例えば図示しないボルト等の締結部材によって壁部２ｂに着脱自在に装着される。第１のプレート３と第２のプレート４は、支柱５の径に応じて間隔ｔをあけて配置される。
【００１２】
第１のプレート３と第２のプレート４のとの間に形成された隙間（間隔ｔ）は、支柱５が挿入される挿入空間となっている。挿入空間に挿入された支柱５は、第１のプレート３と第２のプレート４に当接することで壁部２ｂに沿う方向（矢印ａ）への移動が規制され、これにより矢印ａ方向への倒伏が防止される。第１のプレート３、第２のプレート４は、壁部２ｂに沿う方向への支柱５の移動を規制する第１の規制部材、第２の規制部材となっている。
【００１３】
本実施の形態では、対をなす第１のプレート３と第２のプレート４が、壁部２ｂに複数（４個／１対）設けられている。なお、第１のプレート３と第２のプレート４は、壁部２ｂの外周面２ｂ２（外壁）に固定してもよい。また、本実施の形態のように、第１のプレート３と第２のプレート４を複数設ける場合、各プレートは内周面２ｂ１と外周面２ｂ２の夫々に固定してもよい。
【００１４】
第１のプレート３と第２のプレート４の夫々には、紐状部材６が挿入される第１の孔部７，第２の孔部８が所定間隔をあけて複数形成されている。第１のプレート３と第２のプレート４の長手方向における両端の高さ位置を合わせて壁部２ｂに装着した状態では、第１の孔部７と第２の孔部８が対向した高さ位置に配置される。
【００１５】
使用者（図示せず）は容器２に土を収容する前に、支柱５を所望の第１のプレート３と第２のプレート４の間の挿入空間に挿入する。次いで使用者は、第１の孔部７と第２の孔部８の夫々に紐状部材６を挿入し、壁部２ｂと紐状部材６とで支柱５を挟み込むようにして紐状部材６の両端を結束させる。これにより、支柱５は壁部２ｂ、第１のプレート３、第２のプレート４、紐状部材６によって四方を閉囲された状態となり、容器２の内方側（矢印ｂ）への移動が規制される。
【００１６】
紐状部材６の結び方は任意であるが、例えば紐状部材６を支柱５に巻回させたうえで両端を結束させれば、支柱５をより堅個に固定することができる。このように、紐状部材６は、容器２の内方側（第１のプレート３と第２のプレート４を外周面２ｂ２側に装着した場合は容器２の外方側）への支柱５の移動を規制する第３の規制部材となっている。また、第１のプレート３、第２のプレート４、紐状部材６は、容器２に対して支柱５を位置合わせする位置合わせ手段となっている。なお、本実施の形態における紐状部材６は、環状や針金入りの結束バンド等を含む概念である。
【００１７】
以上説明したように、本実施の形態におけるプランター１は、底部２ａと底部２ａから立設される壁部２ｂを有する容器２と、容器２に対して支柱５を位置合わせする位置合わせ手段と、を備え、位置合わせ手段は、壁部２ｂの内周面２ｂ１及び又は外周面２ｂ２に対して、少なくとも何れかひとつが着脱自在な第１の規制部材（第１のプレート３）および第２の規制部材（第２のプレート４）と、第１の規制部材および第２の規制部材に着脱自在な第３の規制部材(紐状部材６)と、を含む。この構成によれば、使用する支柱５のサイズに応じて第１のプレート３と第２のプレート４の間隔を調整して固定することができるので、支柱のサイズにフレキシブルに対応することができる。
【００１８】
本考案のプランター１は本実施の形態に限定されず、考案の趣旨を逸脱しない範囲で変更が可能である。例えば図２に示すように、紐状部材６に替えて、硬質の長尺部材９を第１の孔部７と第２の孔部８に挿入することで、容器２の内方側への移動を規制するようにしてもよい。また、図３に示すように、第１のプレート３と第２のプレート４に長手方向に延びた第１の孔部１０と第２の孔部１１を形成し、矩形板状のプレート１２を第１の孔部１０，第２の孔部１１に挿入させるようにしてもよい。さらに、容器２の壁部２ｂに所定厚みを有する板状部材を固着し、該板状部材に第１のプレート３と第２のプレート４をボルト等の締結部材で締結固定させてもよい。
【産業上の利用可能性】
【００１９】
本考案によれば、使用する支柱のサイズにフレキシブルに対応することができる。
【符号の説明】
【００２０】
１  プランター
２  容器
２ａ  底部
２ｂ  壁部
３  第１のプレート
４  第２のプレート
５  支柱
６  紐状部材
７  第１の孔部
８  第２の孔部
【図１】
0003229025.tif 000003
【図２】
0003229025.tif 000004
【図３】
0003229025.tif 000005